(57)【要約】【課題】住宅基礎工事において複雑な型枠組立作業を効率化し、更に、コンクリート打設後は分解時の建設廃材の社会問題等を解決する為と、更に、耐震強度を向上した埋設する住宅基礎構造物と施工法を提供する。【解決手段】線材金網にハット形状金具を複数平行に配置し、一体化した自立可能な住宅基礎構造物を、所定間隔で連続的に対向させて配置し、複数の接続金具でつなぎ、コンクリート流出防止の為のパネルを、ハット形状の金具の翼部と線材金網の筋の間に挿入することで住宅基礎型枠を築造する。【選択図】図１
2004156416.tif 000002
【特許請求の範囲】
【請求項１】
住宅基礎コンクリート型枠において、方形の格子状の線材金網にその一辺と同じ長さのハット形状の金具を、所定の間隔で複数一体化しハット形状の金具の翼部と線材金網の筋とでパネルを支持する住宅基礎構造物。
【請求項２】
請求項１の、住宅基礎構造物を所定間隔で平行に対向させて、連続に配置した住宅基礎コンクリートの埋設型枠を、築造する住宅基礎の施行工法。
【発明の詳細な説明】
【０００１】
【産業上の利用分野】
本発明は住宅基礎の強度の向上、及び施工方法の簡易化と建設廃材を出さない為の住宅基礎に関するものである。
【０００２】
【従来の技術】
従来から実施されている型枠工法は、木製合成パネルを現場にて設計された基礎の大きさに合わせて切断、穴明加工後一定の幅を決めるため両ネジの丸棒を多数使用し一定の幅で離れている２枚の木枠の穴を合わせて、両ネジの丸棒を通してナットを締めながら組み立てる、生産効率の悪い作業がほとんどであり、近時、発泡体パネル等の利用が試みられており次にその概要記載する。
【０００３】
住宅基礎コンクリートを製作する為に、発泡体パネル使用に関しては離型性、軽量化の面では良いが、強度補強のため合成木材や特殊な部品が必要で使い捨てとして使用されることが多い。又、発泡体パネル枠をそのまま埋設して外周モルタル仕上で使用している例もあるが、モルタルの付着性等、外側からの衝撃荷重に弱く亀裂等が発生することがある。
【０００４】
コンクリート型枠としては、金網を加熱プレスなどで加圧してパネルを押込んで一体化したパネル等があるが、住宅基礎型枠として使用するには高価である。（例えば特許公開平  ６−２９３０９８）
【０００５】
【発明が解決しようとする課題】
以上のことから合成木材を使用した住宅基礎型枠の施行が多く、部分的には釘抜き・清掃する方法で再利用されるが、建設廃材とし投棄されるものが多数である。又、再利用された部材も数回の使用で建設廃材として投棄される事は不経済である。又、組立に要する人件費や投棄場所も問題となっている。
【０００６】
本発明は上記の現状に着目し、複雑な組立作業の効率化と分離後の効率化と建設廃材投棄の社会問題を解決する為、鉄製線材のコンクリート付着特性と強度を発揮させ、鉄線材の利用範囲を拡大し安価で組立易い。住宅基礎構造物及び施行工法の提供を目的とするものである。
【０００７】
【課題を解決するための手段】
上記の目的を達成する為に、本発明の住宅基礎構造物において、方形の格子状の線材金網に、ハット形状の金具を所定の間隔で複数配置し溶接で一体化させると効果的である。
【０００８】
又、ハット形状の金具は、左右翼部と線材金網の筋とでコンクリート流出防止の為のパネルを支持する。
【０００９】
更に、ハット形状の金具の凹部は、接続金具を取付ける為の複数の穴があり、住宅基礎工事施行時、上記住宅基礎構造物を対向させて配置し、接続金具を通して所定の間隔でつなぎコンクリート打設の為の住宅基礎構造物を連続して築造し、埋設する住宅基礎型枠とする。
【００１０】
又、線材金網は、コンクリート付着特性が良く外装モルタル仕上作業が容易になり、又、住宅基礎鉄筋の補強材として耐震強度向上にも効果的である。
【００１１】
【作用】
上記の様に、構成された住宅基礎構造物は、配置するとき単独で基準面に対して自立可能であり、対向した住宅基礎構造物を接続金具でつなぐ時、一人でも作業が可能となった。
【００１２】
そして、コンクリート打設時の流出を防止するパネルは、ハット形状の金具の翼部と線材金網の筋で支持される構造である為、パネルは単純な方形の形状で取付部材や取付の為の穴加工が不要となった。
【００１３】
【実施例】
図１は、本発明の正面断面を示し、基礎鉄筋１０を配置し捨てコンクリート打設の工程から住宅基礎コンクリート打設の工程の、型枠組立状態を示し基準面１１に線材金網４とハット形状金具２が、溶接で一体化された住宅基礎構造物１ａ・１ｂを所定の間隔を保って平行に対向させて配置する。この時、住宅基礎構造物１ａ・１ｂはハット形状金具２で支えられて自立出来る。さらに対向して、配置された住宅基礎構造物１ａ・１ｂを接続金具５ａ・５ｂで、所定の間隔に保って接続しコンクリート打設時にコンクリート流出を防止する為のパネル３ａ・３ｂを、住宅基礎構造物１ａ・１ｂを構成する線材金網４と、ハット形状金具２ａ・２ｂにパネル挿入の為のスペースに挿入される。図２は本発明の平面図を示し、パネル３ａ・３ｂが線材金網４ａ・４ｂの横筋２０ａ・２０ｂと、ハット形状金具２ａ・２ｂ翼部に支えられる。この時パネル３ａ・３ｂの面の一部は、ハット形状金具２ａ・２ｂの翼部と重なり、コンクリート打設時のコンクリート流出を防止する。ここで、本実施例で使用の、住宅基礎構造物１ａ・１ｂの概要について記述する。線材金網４ａ・４ｂは、軟鋼線材で線径が５ｍｍで格子目は縦筋ピッチ１００ｍｍ横筋ピッチ５０ｍｍで高さ７５０ｍｍ幅９００ｍｍを使用し、ハット形状２ａ・２ｂは軟鋼板で板厚は１．２ｍｍ使用した。又、接続金具５ａ・５ｂの取付ピッチは３５０ｍｍとした。又、パネル３ａ・３ｂは市販の発泡スチロールの厚さ３０ｍｍを使用した。
【００１４】
図３は、本発明のコーナー部の構成を示す。コーナー部の線材金網３１は、折り曲げられている。外側コーナー金具３０、内側コーナー金具３２パネル支持面が直角に折り曲げられている。ｃ部・ｄ部は、接続部を示し鉄線材金網、縦筋部で横筋を切断し金網の縦筋２０ａ−１と２０ａ−２を接して針金等で数箇所結び連結する。一方のｄ部の連結も同様にし行うことで住宅基礎構造物を築造する。
【００１５】
【発明の効果】
イ．本発明の、住宅基礎構造物を使用することにより、住宅基礎工事の型枠組立作業が簡単になり、省力効果が大きく安価になった。
ロ．本発明の、住宅基礎構造物を使用する工法により、住宅基礎構造物、基礎補強材と埋設すること、耐震性に優れた建設廃材が出ない工法で、廃材処理の為社会問題を解決できる。
ハ．本発明の住宅基礎構造物は、構造が簡単で現場で切り合せ及び、接合が容易であり住宅基礎型枠の目的である。コンクリート流出を確実に防止する事が出来る。
【図面の簡単な説明】
【図１】本発明の住宅基礎の構造物で築造した断面図である。
【図２】同上記の平面図である。
【図３】同上記のコーナー平面図である。
【図の説明】
１ａ、１ｂ    住宅基礎構造物
２ａ、２ｂ    ハット形状支持金具
３ａ、３ｂ    パネル
４ａ、４ｂ    線材金網
５ａ、５ｂ    接続金具
１０          住宅基礎鉄筋
２０          横筋
２１          縦筋
３０          外側コーナー金具
３１          コーナー線材金具
３２          内側コーナー金具
ｃ          接続部
ｄ          接続部
【図１】
2004156416.tif 000003
【図２】
2004156416.tif 000004
【図３】
2004156416.tif 000005